(57)【特許請求の範囲】
【請求項１】
筆記具の軸である筆記軸を二色成形により形成し、硬質材料を表面に表出させた硬質部と前記硬質材料より硬度が低い軟質材料を表面に表出させた軟質部とを設けるようにしたものであって、
前記硬質部を、把持した筆記者の親指と人差し指との指間に接する部位である指間当接部位に少なくとも設定するとともに、前記軟質部を、前記筆記者の指先により把持される部位である把持部位及び前記筆記軸の中心軸線を挟んで前記指間当接部位と略対向する反指間当接部位に少なくとも設定し、
さらに、筆記軸を構成する各部品において前記軟質部が連続した形状であることを特徴とする筆記具。
【請求項２】
筆記具の軸である筆記軸を二色成形により形成し、硬質材料を表面に表出させた硬質部と前記硬質材料より硬度が低い軟質材料を表面に表出させた軟質部とを設けるようにし、
前記硬質部を、把持した筆記者の親指と人差し指との指間に接する部位である指間当接部位に少なくとも設定するとともに、前記軟質部を、前記筆記者の指先により把持される部位である把持部位及び前記筆記軸の中心軸線を挟んで前記指間当接部位と略対向する反指間当接部位に少なくとも設定し、
さらに、前記筆記軸の一端部又は一端部近傍から他端部又は他端部近傍までを単一の部品で構成しているとともに前記筆記軸に設けた軟質部が連続した形状であって、
筆記軸の後端部の近傍である筆記軸後端近傍部を略全周にわたって前記軟質部に設定していることを特徴とする筆記具。
【請求項３】
筆記軸の後端部の近傍である筆記軸後端近傍部を略全周にわたって前記軟質部に設定していることを特徴とする請求項１記載の筆記具。
【請求項４】
前記筆記軸との間で衣服等を挟むクリップをさらに具備し、このクリップを前記筆記軸の中心軸線を挟んで前記指間当接部位と反対側に設けていることを特徴とする請求項１、２又は３記載の筆記具。
【請求項５】
前記把持部位の表面に凹凸を設けていることを特徴とする請求項１、２、３、又は４記載の筆記具。
【発明の詳細な説明】
【０００１】
【発明の属する技術分野】
本発明は、筆記軸の表面が硬質部と軟質部とを有する筆記具に関する。
【０００２】
【従来の技術】
従来、筆記具を把持する際の滑り止めのために、筆記者に把持される部位である把持部位の表面にラバーを貼り付けてある筆記具や、二色成形により把持部位の表面を軟質材料により構成し、グリップ性を与えたものが知られている。
【０００３】
そして、親指と人差し指との指間部が当たる部位である指間当接部位の表面をも前記軟質材料により構成し、グリップ性を与えたものも知られている。
【０００４】
【発明が解決しようとする課題】
しかし、前記指間当接部位の表面をも前記軟質材料により構成し、グリップ性を与えたものにおいては、主に指先により筆記軸を動かす使用態様をとる場合に筆記軸を動かしにくくなり、人によっては使い心地がかえって悪くなるという不具合が存在する。
【０００５】
この不具合を単純に解消するためには把持部位の表面のみを軟質材料、それ以外の部位の表面をすべて硬質材料により形成する態様が考えられる。しかし、このように把持部位の表面のみを軟質材料により形成するようなデザインは、人によってはあまりに機能的に過ぎて面白くないと不満を感じることもあり得る。
【０００６】
そこで本発明は以上に述べた問題を解決し、使い心地の向上に寄与できるとともにデザイン的にも優れた筆記具を提供することを主たる目的としたものである。
【０００７】
【課題を解決するための手段】
すなわち本発明に係る筆記具の一つは、筆記具の軸である筆記軸を二色成形により形成し、硬質材料を表面に表出させた硬質部と前記硬質材料より硬度が低い軟質材料を表面に表出させた軟質部とを設けるようにしたものであって、前記硬質部を把持した筆記者の親指と人差し指との指間に接する部位である指間当接部位に少なくとも設定するとともに、前記軟質部を、筆記者の指先により把持される部位である把持部位及び前記筆記軸の中心軸線を挟んで前記指間当接部位と略対向する反指間当接部位に少なくとも設定し、さらに、筆記軸を構成する各部品において前記軟質部が連続した形状であることを特徴とする。
【０００８】
このようなものであれば、指間当接部位の表面に硬質材料を表出させたので、親指と人差し指との指間部は滑りやすく、主に指先により筆記軸を動かす場合にこの筆記軸を動かしやすくなるので、このような使用態様をとる場合の使い心地の向上を図ることができる。また、二色成形により筆記軸を形成したので、従来用いられているような把持部位の表面にラバーを貼り付ける形態と異なり、軟質材料が皮脂の吸収により膨潤して指先の感触が変化し、使い心地が悪化することを防げるとともに、金型から取り出した時点でデザインが完成しているので印刷等の手間が省け、製造の容易化を図ることができる。さらに、把持部位以外にも軟質部を設定し、より優れたデザインを提供できるようになる。
加えて、筆記軸を構成する各部品において前記軟質部が連続した形状であるので、前記軟質材料を注入する注入口を１箇所で済ませることができ、従って、二色成形により形成される筆記軸を構成する各部品の製造の容易化を図ることができる。
【０００９】
このような筆記具の筆記軸の好適な一態様として、筆記軸筆記軸の後端部の近傍である筆記軸後端近傍部の略全周にわたって前記軟質層が表出しているものが挙げられる。
【００１０】
また、本発明に係る筆記具の他の一つは、筆記具の軸である筆記軸を二色成形により形成し、硬質材料を表面に表出させた硬質部と前記硬質材料より硬度が低い軟質材料を表面に表出させた軟質部とを設けるようにし、前記硬質部を、把持した筆記者の親指と人差し指との指間に接する部位である指間当接部位に少なくとも設定するとともに、前記軟質部を、前記筆記者の指先により把持される部位である把持部位及び前記筆記軸の中心軸線を挟んで前記指間当接部位と略対向する反指間当接部位に少なくとも設定し、さらに、前記筆記軸の一端部又は一端部近傍から他端部又は他端部近傍までを単一の部品で構成しているとともに前記筆記軸に設けた軟質部が連続した形状であって、筆記軸の後端部の近傍である筆記軸後端近傍部を略全周にわたって前記軟質部に設定していることを特徴とする。
このようなものであっても、単一の部品で構成した筆記軸において、この筆記軸に設けた軟質部が連続した形状であるので、前記軟質材料を注入する注入口を１箇所で済ませることができ、従って、二色成形により形成される筆記軸を構成する各部品の製造の容易化を図ることができる。加えて、この態様では、筆記軸の一端部から他端部までの全体を単一の部品として部品点数を削減するようにもでき、また、端部の二色成形を必要としない部分のみを別部品として前記別部品を通常の射出成形で形成するようにもできるので、筆記軸全体としての製造の容易化を図ることができる。
【００１１】
前記筆記軸との間で衣服等を挟むクリップをさらに具備した筆記具において、前記クリップが邪魔にならないようにしつつ前記筆記軸を動かしやすくするには、このクリップを前記筆記軸の中心軸線を挟んで前記指間当接部位と反対側に設ければよい。前記クリップが手に当たらないように筆記具を把持した場合に前記筆記軸の中心軸線を挟んで前記クリップと反対側に前記指間当接部位が位置し、この指間当接部位は上述したように硬質部に設定されているので親指と人差し指との指間部を滑りやすくなるからである。さらに、このクリップと同じく前記筆記軸の中心軸線を挟んで前記指間当接部位と反対側に位置する前記反指間当接部位が軟質部に設定されているので、筆記軸とクリップとにより衣服等を挟む際に滑りにくくなり、より効果的に衣服等を挟むことができるようになる。
【００１２】
把持部位の滑り止めの効果を増大させるには、前記把持部位の表面に凹凸を設ければよい。筆記具を把持する際に指先に前記凹凸が当たるからである。
【００１３】
【発明の実施の形態】
以下、本発明の一実施形態について図面を参照して説明する。
【００１４】
本実施形態に係る筆記具は、図１〜図６に示すような後部ノック式のシャープペンシルＰ１である。以下、ペン先側の端を先端、その反対側の端を後端として記述する。
【００１５】
このシャープペンシルＰ１は、図１〜図４に示すように、筆記軸１と、前記筆記軸１内に挿入された芯繰り出し機構２と、同じく前記筆記軸１内に挿入された消しゴム繰り出し機構３と、筆記軸の先端に設けられた先端部材４と、筆記軸の後端部に設けられたクリップ５とを具備する。
【００１６】
より具体的には、前記筆記軸１は、断面形状が円形をなす中空のものであり、筆記者の指先により把持される部位である把持部位１ｙを有する筆記軸前部１１と、残りの部分を構成する筆記軸後部１２とを具備するものである。そして、全体としては筆記者の親指と人差し指との指間に接する部位である指間当接部位１ｘをわずかにくぼませ、先端に向かって細くなっていく形状をしている。そして、前記筆記軸前部１１と前記筆記軸後部１２とを、互いに螺合させて連結するようにしている。なお、本実施形態では前記筆記軸１を筆記軸前部１１と筆記軸後部１２とに分けているが、単一の部品として一体に形成してもよい。
【００１７】
前記芯繰り出し機構２は、図４に示すように、先端から後端に向かって順に、チャック２１と、クラッチ２２と、コネクタ２３と、スプリング２４と、芯タンク２５とを備えていて、従来のシャープペンシルの芯繰り出し機構として周知のものと同様に構成されている。
【００１８】
前記消しゴム繰り出し機構３は、図４に示すように、先端から後端に向かって順に、回転スリーブ３１と、スクリュー３２と、消しゴム３３とを備えていて、回転式消しゴム繰り出し機構として周知のものと同様に構成されている。前記回転スリーブ３１には、前記芯タンク２５の端面２５ａに当たる当たり面３１ａが設けてあり、前記芯繰り出し機構２の後方に位置する。そして前記回転スリーブ３１の略後半部と、前記消しゴム３３の後端部は筆記軸１の後端である筆記軸後端１ｔから外部に露出している。
【００１９】
前記先端部材４は、図１〜図４に示すように、前期筆記軸１の先端部に設けられていて、この筆記軸の中心軸線に対して対称な略傘型をなす部材であり、芯がその中心に設けられた貫通孔４１を通るようにしている。そして、表面が前記筆記軸１の先端部である筆記軸先端部１ｓの表面と略連続するように取り付けられている。
【００２０】
前記クリップ５は、図１、図２に示すように前記筆記軸１の後端部から先端側に向かって前記筆記軸１と平行に延ばして前記筆記軸１と一体に設けてあり、このシャープペンシルＰ１を使用しない際には前記筆記軸１との間で衣服等を挟むようにしてある。そして、このクリップ５の先端には筆記軸１に向かって突起５１が設けてある。さらに、クリップ５に設けた突起５１と略対向する部位には、クリップ５に向かって突出する補助クリップ突起５２が設けてあり、前記クリップ５の先端に設けた突起５１とともにより効果的に衣服等を挟むようにしている。
【００２１】
しかして前記筆記軸１は、透明な硬質材料を表面に表出させた硬質部１ａと前記硬質材料より硬度及び透明度が低い軟質材料、本実施形態ではエラストマーを表面に表出させた軟質部１ｂにより形成されている。これらはともに、先に前記硬質材料により形成される硬質層１０１を射出成形により形成し、続いて前記軟質材料により構成される軟質層１０２を同じく射出成形により形成する二色成形により形成されたものである。すなわち縦断面図を図５に示すように、硬質部１ａは前記硬質層１０１のみで形成されているのに対し、軟質部１ｂは内側の前記硬質層１０１と外側の前記軟質層１０２との２層により形成されている。これら硬質部１ａ及び軟質部１ｂの表面は略面一に構成してあり、前記筆記軸１全体の肉厚を略一定にしてある。そして、全体としては筆記具として通常に使用するために十分な剛性を有する。
【００２２】
より具体的には、前記クリップ５を上にした状態の正面図を図１、平面図を図２、底面図を図３に示すように、この筆記軸１の先端部である筆記軸先端部１ｓ、この筆記軸１の後端部である筆記軸後端部１ｅ、及びクリップ５は硬質部１ａに設定している。筆記者の指先により把持される部位である把持部位１ｙ及び筆記軸後端部１ｅの近傍である筆記軸後端近傍部１ｋは軟質部１ｂに設定している。把持部位１ｙは円周方向に見て全周、筆記軸後端近傍部１ｋはクリップ５の部分を除いて略全周にわたって前記軟質層１０２が表出している。把持部位１ｙの表面には、複数の円形をなす凹部１ｙ１が設けてあり、グリップ性をより増す役割を果たしている。前記把持部位１ｙと前記筆記軸先端部１ｓとの中間は、前記筆記軸先端部１ｓ近傍に筆記軸１と直交する方向に延びた形状の硬質部１ａを前記クリップと同じ側と前記クリップと反対側に３箇所ずつ設けている他はすべて軟質部１ｂに設定している。さらに、前記反指間当接部位１ｚから筆記軸に平行に延ばした線上にあたる部分は前記補助クリップ突起５２の先端側半分５２２及び前記反指間当接部位１ｚから先端に向かう方向に所定距離離れて位置する平面視略卵形の部分を除き前記軟質部１ｂに設定している。これら軟質部１ｂは、すべて連続した形状をなすようにしている。一方、前記補助クリップ突起５２の先端側半分５２２及び前記反指間当接部位１ｚから先端に向かう方向に所定距離離れて位置する平面視略卵形の部分は前記硬質部１ａに設定している。そして、残りの前記指間当接部位１ｘを含む部分は前記硬質部１ａに設定している。この前記指間当接部位１ｘを含む部分に設定した前記硬質部１ａは、前記クリップ５に対して対称な形状をなし、前記軟質部１ｂとの境界を前記筆記軸後端近傍部１ｋ及び前記把持部位１ｙの近傍から発し、前記指間当接部位１ｘに向けて前記硬質部１ａの割合が増加していく略流線形状をなす部分に設定している。さらに具体的には、前記指間当接部位１ｘを含む硬質部１ａの形状は、前記反指間当接部１ｚから筆記軸１方向に延びる線で展開すると楕円形ないし細長い卵形になるような形状である。そして、前記指間当接部位１ｘにおけるこの筆記軸１の横断面図を図６に示すように、前記指間当接部位１ｘ近傍では、この筆記軸１の円周方向に見て前記反指間当接部１ｚ近傍を残してすべて硬質部１ａに設定していて、筆記軸１の両端に向かって硬質部１ａが狭まっていくようにしている。なお、前記指間当接部位１ｘにおけるこの筆記軸１の横断面において硬質部１ａが占める角度は３１７．５度であるが、この角度は前記指間当接部位１ｘにおいて筆記者の親指と人差し指との指間が軟質部１ｂに当たらない範囲で任意に設定してよい。
【００２３】
このように構成したシャープペンシルＰ１は、回転式消しゴム繰り出し機構を有するシャープペンシルとして周知のものと同様に、ペン先と反対側の端をノックすると芯タンク２５が押し込まれ、従来のシャープペンシルの芯繰り出し機構として周知のものと同様の機構により芯が押出される。また、回転式消しゴム繰り出し機構として周知のものと同様に、回転スリーブ３１を所定方向に回転させると消しゴム３３が送り出される。そして、このシャープペンシルＰ１を使用する際には、前記クリップ５が手に当たって邪魔にならないようにこのクリップ５を上にして把持する。すると、前記指間当接部位１ｘに親指と人差し指との指間部が当たるようになる。この指間当接部位１ｘの表面を硬質部１ａに設定しているので、親指と人差し指との指間部は滑りやすい。従って、主に指先により前記筆記軸１を動かし筆記を行う場合にこの筆記軸１を動かしやすくなり、このような使用態様をとる場合の使い心地の向上を図ることができる。加えて、把持部位１ｙ以外にも軟質部１ｂを設定したのでより優れたデザインの筆記軸を提供できる。
【００２４】
また、二色成形により筆記軸１の表面を形成しているので、従来用いられているような把持部位１ｙの表面にラバーを貼り付ける形態と異なり、軟質部１ｂを構成する軟質材料が皮脂の吸収により膨潤して指先の感触が変化し、使い心地が悪化することを防げるとともに、金型から取り出した時点でデザインが完成しているので印刷等の手間が省け、製造の容易化を図ることができる。さらに、本実施形態では、この筆記軸１全体の肉厚を略均一なものとし、硬質部１ａ及び軟質部１ｂの表面を略面一に構成しているとともに、前記指間当接部位１ｘを硬質部に設定していることにより、この部位は厚肉になり剛性が増しているので、筆圧等によりたわみ、使い心地が悪化することを防げるとともに、外観をすっきりと整えることができる。
【００２５】
さらに、前記クリップ５と同じく前記筆記軸１の中心軸線を挟んで前記指間当接部位１ｘと反対側に位置する前記反指間当接部位１ｚが軟質部１ｂに設定されているので、筆記軸１とクリップ５とにより衣服等を挟む際に滑りにくくなり、より効果的に衣服等を挟むことができるようになる。
【００２６】
加えて、軟質部１ｂを連続した形状にしているので、成形の際に軟質部１ｂを構成する軟質材料を注入する注入口を１箇所にして製造の容易化を図ることができる。
【００２７】
なお、本実施形態に係る筆記軸１は、例えば図７及び図８に示すようなノック式ボールペンＰ２にも適用できる。このボールペンＰ２は、従来のノック式ボールペンと同様に、ペン先と反対側の端部にノック部７１を設けたものであり、従来のノック式ボールペンとして周知のものと同様に、筆記軸１内に芯６及びノック機構７を備えている。そして、前記ノック部７１を押し込むことにより、従来のノック式ボールペンとして周知のものと同様に、ペン先の出し入れを行うようにしている。
【００２８】
なお、本発明は以上に述べたような実施形態に限られない。
【００２９】
例えば硬質材料としては筆記軸の形状を維持可能な剛性を有するようにできるならば、材料はＡＢＳ樹脂等、任意に選択してよい。また、軟質材料は、エラストマーに限らず、硬質材料よりも硬度が低いものであれば任意に選択してよい。
【００３０】
また、把持部位の凹凸は、軸方向に直交する横リブを多数設けるなど、形状は任意に選択してよい。
【００３２】
また、先端部材は筆記軸と一体に形成するようにしてもよい。
【００３３】
加えて、クリップ及びノック機構を省略した図９に示すようなボールペンＰ３に本発明を適用することも考えられる。この場合、上述した反指間当接部位を第２の指間当接部位１ｚ’として、親指と人差し指との指間にもグリップ力を有するような使用態様を選択することも可能になる。この場合、非使用時には図７に示すようなキャップ８によりペン先を覆うようにする。そして、クリップが必要ならば、図７に示すようにキャップ８にクリップ５’を備えるようにし、キャップ６をした状態で前記クリップ５’とキャップ８とにより衣服等を挟むようにすればよい。
【００３４】
さらに、両端にペン先を有する筆記具に本発明を適用してもよい。この場合、この筆記具の筆記軸を二色成形により形成して、中央部に位置する指間当接部位を硬質部に設定し、両側の把持部位及び筆記軸の中心軸線を挟んで前記指間当接部位と略対向する反指間当接部位を軟質部に設定すればよい。
【００３５】
【発明の効果】
本発明は、以上に詳述したように、二色成形により形成した硬質部を指間当接部位に少なくとも設定するとともに、軟質部を、把持部位及び反指間当接部位に少なくとも設定しているので、親指と人差し指との指間部は滑りやすく、従って主に指先により筆記軸を動かす場合にこの筆記軸を動かしやすく、このような使用態様をとる場合の使い心地の向上を図ることができる。また、二色成形により筆記軸の表面を形成したので、従来用いられているような把持部位の表面にラバーを貼り付ける形態と異なり、軟質部が皮脂の吸収により膨潤して指先の感触が変化し、使い心地が悪化することを防げるとともに、金型から取り出した時点でデザインが完成しているので印刷等の手間が省け、製造の容易化を図ることができる。加えて、筆記軸を構成する各部品において前記軟質部が連続した形状であるので、前記軟質材料を注入する注入口を１箇所で済ませることができ、従って、二色成形により形成される筆記軸を構成する各部品の製造の容易化を図ることができる。
【図面の簡単な説明】
【図１】本発明の一実施形態における筆記具の正面図。
【図２】同実施形態における筆記具の平面図。
【図３】同実施形態における筆記具の底面図。
【図４】同実施形態における筆記具の分解斜視図。
【図５】同実施形態における筆記軸の縦断面図。
【図６】同実施形態における筆記軸の横断面図。
【図７】本発明の別実施形態における筆記具の正面図。
【図８】同実施形態における筆記具の分解斜視図。
【図９】本発明のさらに別実施形態における筆記具の正面図。
【符号の説明】
Ｐ１…シャープペンシル（筆記具）
１…筆記軸
１ａ…硬質部
１ｂ…軟質部
１ｘ…指間当接部位
１ｙ…把持部位
１ｚ、１ｚ’…反指間当接部位
１ｙ１…凹部
５…クリップ
【図１】
0004155390.tif 000002
【図２】
0004155390.tif 000003
【図３】
0004155390.tif 000004
【図４】
0004155390.tif 000005
【図５】
0004155390.tif 000006
【図６】
0004155390.tif 000007
【図７】
0004155390.tif 000008
【図８】
0004155390.tif 000009
【図９】
0004155390.tif 000010